(57)【要約】      （修正有）【課題】飲料後のペットボトルを収納し、外観構成の優れた花瓶として使用でき、また構造が簡単であり、ペットボトルに使用しない状態では、小さく畳むことができ、更にペットボトル外周の水滴を吸収し、極めて便利なペットボトル用ケースとして使用することもできるフラワーベースを提供する。【解決手段】ペットボトル用ケース１はペットボトルが収納される本体２、及び本体２の上部に設けられた開口部３で構成されている。また、本例のペットボトル用ケース１は布又は紙で構成され、開口部３には所謂ホック部を形成する凸部４と凹部５が設けられている。例えば、凸部４はペットボトル用ケース１の正面に形成され、凹部５はペットボトル用ケース１の側面に形成されている。ペットボトル用ケース１の側面には折込６が形成され、ペットボトル用ケース１の底部には折込７が形成されている。【選択図】図１
0003189452.tif 000002
【実用新案登録請求の範囲】
【請求項１】
ペットボトルが収納される本体と、
該本体の上部に設けられ、前記ペットボトルに収納された花が突出する開口部と、
該開口を締着する締着部と、
を有することを特徴とするフラワーベース。
【請求項２】
ペットボトルが収納される本体と、
該本体の上部に設けられ、前記ペットボトルの口部が突出する開口部と、
該開口部に前記ペットボトルの口部を突出し、該口部を締着する締着部と、
を有することを特徴とするフラワーベース。
【請求項３】
前記締着部は、前記開口部に設けられた孔に紐状部材を通して前記ペットボトルの口部  を固定することを特徴とする請求項１、又は２に記載のフラワーベース。
【請求項４】
前記締着部は、前記開口部に設けられたホック状部材であり、該ホック状部材によって前記ペットボトルの口部を固定することを特徴とする請求項１、又は２に記載のフラワーベース。
【請求項５】
前記本体は布又は紙であることを特徴とする請求項１、２、３、又は４に記載のフラワーベース。
【考案の詳細な説明】
【技術分野】
【０００１】
本考案はフラワーベースに関し、特にペットボトル用ケースとしても使用可能なフラワーベースに関する。
【背景技術】
【０００２】
今日、コンビニエンスストアや自動販売機等において、ジュースやスポースドリンク、お茶等の清涼飲料水が広く販売されている。特に、携帯性や安全性の観点から瓶や缶に代わって、ペットボトルを利用した商品が中心になっている。
【０００３】
清涼飲料水が入ったペットボトルとして、例えば１リットルや２リットル入りの商品も販売されているが、一般的に携帯する場合には５００ミリリットル入りのペットボトルが使用され、携帯しながら複数回に分けて清涼飲料水を飲んでいる。このため、ペットボトルをケースに入れて携帯することが行われている。
【０００４】
特許文献１は水筒のようなペットボトル用ケースを開示し、このケースにペットボトルを入れて持ち運ぶことによって、飲料の温度上昇を防止するペットボトル収納ケースが開示されている。また、特許文献２はコップ付きのペットボトル用ケースを開示する。
【先行技術文献】
【特許文献】
【０００５】
【特許文献１】特開２００１−１４６２７７号公報
【特許文献２】特開２００３−０８１３４１号公報
【考案の概要】
【考案が解決しようとする課題】
【０００６】
しかしながら、上記特許文献１の発明では、大きなサイズのペットボトル用ケースが必要となり、コストアップの原因となる。また、特許文献２の発明は構造が複雑であり、ケースのサイズも大きくなる。
【０００７】
一方、今日ペットボトルを花瓶代わりにして、飲料後の空のペットボトルに花を挿すことも行われている。しかし、ペットボトルをそのまま花瓶として使用することは外観上相応しくない。
【０００８】
そこで、本考案は外観構成の優れた花瓶としても使用できるフラワーベースを提供するものである。また、構造が簡単であり、小さく折り畳むことができ、ペットボトル用ケースとして使用することもできるペットボトル用ケースとしても使用可能である。
【課題を解決するための手段】
【０００９】
上記課題は第１の考案によれば、ペットボトルが収納される本体と、該本体の上部に設けられ、前記ペットボトルに収納された花が突出する開口部と、該開口を締着する締着部と、を有するフラワーベーを提供することによって達成できる。
【００１０】
上記課題は第２の考案によれば、ペットボトルが収納される本体と、該本体の上部に設けられ、前記ペットボトルの口部が突出する開口部と、該開口部に前記ペットボトルの口部を突出し、該口部を締着する締着部と、を有するペットボトル用ケースを提供することによって達成できる。
【００１１】
上記課題は第３の考案によれば、前記締着部は、前記開口部に設けられた孔に紐状部材を通して前記ペットボトルの口部を固定するペットボトル用容器を提供することによって達成できる。
【００１２】
上記課題は第４の考案によれば、前記締着部は、前記開口部に設けられたホック状部材であり、該ホック状部材によって前記ペットボトルの口部を固定するペットボトル用容器を提供することによって達成できる。
【００１３】
上記課題は第５の考案によれば、前記本体は布、又は紙であるペットボトル用容器を提供することによって達成できる。
【考案の効果】
【００１４】
本考案によれば、飲料後のペットボトルを収納し、外観構成の優れた花瓶として使用できるフラワーベースを提供するものである。また、構造が簡単であり、ペットボトルに使用しない状態では、小さく畳むことができ、便利なペットボトル用ケースとして使用することもできる。
【図面の簡単な説明】
【００１５】
【図１】本実施形態のフラワーベースの構成を示す図であり、（ａ）はフラワーベースの正面図であり、（ｂ）はフラワーベースの側面図であり、（ｃ）はフラワーベースを折り畳んだ状態を示す側面図である。
【図２】本実施形態のフラワーベースと、フラワーベースに収納するペットボトルを示す図である。
【図３】本実施形態のフラワーベースと、フラワーベースに収納するペットボトルを示す図である。
【図４】（ａ）〜（ｄ）はフラワーベースの本体の布に表わされた模様（柄）を示す図である。
【図５】別実施形態のフラワーベースの構成を示す図であり、（ａ）はフラワーベースの正面図であり、（ｂ）はフラワーベースの側面図であり、（ｃ）はフラワーベースを折り畳んだ状態を示す側面図である。
【図６】本実施形態のフラワーベースにペットボトルを収納した状態を示す斜視図である。
【図７】本実施形態のフラワーベースにペットボトルを収納した状態を示す斜視図である。
【考案を実施するための形態】
【００１６】
以下、本考案の実施形態を図面に基づいて詳細に説明する。
（第１の実施形態）
図１は第１の実施形態のペットボトル用ケースの構成を示す図であり、同図（ａ）はペットボトル用ケースの正面図であり、同図（ｂ）はペットボトル用ケースの側面図である。また、同図（ｃ）はペットボトル用ケースを折り畳んだ状態を示す側面図である。
【００１７】
上記図１（ａ）、（ｂ）に示すように、ペットボトル用ケース１は後述するペットボトルが収納される本体２、及び本体２の上部に設けられた開口部３で構成されている。また、本例のペットボトル用ケース１は布又は紙で構成され、開口部３には所謂ホック部を形成する凸部４と凹部５が設けられている。例えば、凸部４は同図（ａ）に示すペットボトル用ケース１の正面に形成され、凹部５は同図（ｂ）に示すペットボトル用ケース１の側面に形成されている。
【００１８】
ペットボトル用ケース１の側面には折込６が形成され、ペットボトル用ケース１の底部には折込７が形成されている。この折込６及び７はペットボトル用ケース１が使用されていない時、ペットボトル用ケース１を折り畳んだ状態で保存する為の構成である。同図（ｃ）はペットボトル用ケース１を折り畳んだ状態を示す。
【００１９】
本例のペットボトル用ケース１は使用されない状態において、折込６及び７に沿って薄く折り畳むことができ、従来例に比べて保存の為のスペースを極めた狭くすることができる。また、折込６及び７が予め形成されているので、容易に同図（ｃ）の状態に折り込むことができる。
【００２０】
また、ペットボトル用ケース１の上部に形成された凹部５に凸部４を嵌入し、ペットボトル用ケース１の上部を固定することによって、開口部３は確実に閉じた状態でペットボトルを保持することができる。
【００２１】
図２は本例のペットボトル用ケース１と、ペットボトル用ケース１に収納するペットボトル１０を示す図であり、例えばこのペットボトル１０を開口部３からペットボトル用ケース１に入れ、紐１１を締ることによって、ペットボトル１０の口部１２をペットボトル用ケース１に締着することができる。この状態で、ペットボトル１０の口部は外部に露出し、必要に応じてペットボトル１０の蓋１３を開けてペットボトル１０内の清涼飲料水を飲むことができる。
尚、図３は本例のペットボトル用ケース１と、ペットボトル用ケース１に収納するペットボトル１０を示す図であり、ペットボトル用ケース１の側面側から視た図である。
【００２２】
このように構成することによって、ペットボトル用ケース１に入れて飲料が入ったペットボトル１０を持ち運ぶことができ、例えばペットボトル１０の外周の水滴はペットボトル用ケース１を構成する布に吸収され、手や腕に水滴が付くことがない。一方、ペットボトル１０内の飲料を飲みほした後は、ペットボトル１０を捨て、前述のようにペットボトル用ケース１を薄く折り畳むことができ、スペースを必要とすることなくペットボトル用ケース１を保存することができる。
【００２３】
尚、上記説明では、紐１１を締ることによって、ペットボトル１０の口部１２をペットボトル用ケース１に締着する構成としたが、前述のようにペットボトル１０を開口部３からペットボトル用ケース１に入れ、凸部４を凹部５に嵌合することによって、ペットボトル１０の口部１２をペットボトル用ケース１に固定する構成としてもよい。このように構成することによっても、ペットボトル用ケース１に入れて飲料が入ったペットボトル１０を持ち運び、必要に応じてペットボトル１０の蓋１３を開けてペットボトル１０内の飲料を飲むことができる。
【００２４】
図４（ａ）〜（ｄ）はペットボトル用ケース１の本体２の布に表わされた模様（柄）であり、任意の柄のペットボトル用ケース１とすることができる。
【００２５】
さらに、図５（ａ）〜（ｃ）は本実施形態のペットボトル用ケースの変形例を示す図であり、前述と同様、同図（ａ）はペットボトル用ケースの正面図であり、同図（ｂ）はペットボトル用ケースの側面図であり、同図（ｃ）はこのペットボトル用ケースを折り畳んだ状態を示す側面図である。上記図５（ａ）〜（ｃ）に示す実施形態のペットボトル用ケースの機能は基本的に前述の図１（ａ）〜（ｃ）で説明したペットボトル用ケース１と同様であり、より高さの低いペットボトル用ケース１４についても同様に実施できることを示すものである。
【００２６】
したがって、例えばペットボトル用ケース１４はペットボトルが収納される本体１５、及び本体１５の上部に設けられた開口部１６で構成され、開口部１６には所謂ホック部を形成する凸部１７と凹部１８が設けられている。さらにボトル用ケース１４の側面には折込１９が形成され、ペットボトル用ケース１４の底部には折込２０が形成され、この折込１９及び２０はペットボトル用ケース１４を使用しない時、ペットボトル用ケース１４を折り畳んだ状態で保存する構成である。
【００２７】
したがって、このように高さが低いペットボトル用ケース１４に対応するサイズの短いペットボトルを収納し、持ち運ぶことができ、例えばペットボトルの外周の水滴はペットボトル用ケース１４を構成する布に吸収され、手や腕に水滴が付くことがない。また、サイズの小さいペットボトル内の飲料を飲みほした後は、ペットボトルを捨て、前述のようにペットボトル用ケース１４を薄く折り畳むことができ、スペースを必要とすることなくペットボトル用ケース１４を保存することができる。
【００２８】
（第２の実施形態）
次に、本考案の第２の実施形態について説明する。
図６は本例のフラワーベースの構成を説明する図である。フラワーベース２１にはペットボトル２３が収納されている。但し、本例のフラワーベース２１では、ケース２２内にペットボトル２３が全て収納され、第１の実施形態と異なり、ペットボトル２３の口部２４もケース２２内に位置する。尚、ケース２２に収納されるペットボトルは使用済みのもの、又は本例のフラワーベース用に特注したものでもよい。
【００２９】
本例のフラワーベース２１では、フラワーベース２１の開口部２５から、例えば所定量の水を入れたペットボトル２３を挿入し、ペットボトル２３に花２６を挿す。この状態で前述の紐１１を結ぶことによって簡易な花瓶とする。この場合、ペットボトル２３の口部はケース２２内に隠れ、紐１１を結ぶことによって、外観上内部にペットボトル２３が使用されていることが分からない。図７は紐１１で結んだ状態を示す図である。
【００３０】
前述のように、ケース２２の外観は図４に示す各種模様が使用されており、デザイン的に優れたフラワーベース２１となる。また、ペットボトル２３に挿す花もバラやガーベア等、各種の花を挿すことができる。また、花は１本のみならず、２本、３本、・・と複数本挿すことができ、ペットボトルを使用した有効なフラワーベース２１となる。
【００３１】
尚、本例においても、フラワーベース２１のサイズは５００ミリリットルのペットボトル２３を使用した場合だけではなく、例えばより小さいペットボトル２３を使用した場合でも同様に実施することができ、更に１リットルや２リットルのより大きいサイズのペットボトル２３を使用した場合でも同様に実施することができる。
【符号の説明】
【００３２】
１・・・ペットボトル用ケース
２・・・本体
３・・・開口部
４・・・凸部
５・・・凹部
６、７・・・折込
１０・・ペットボトル
１１・・紐
１２・・口部
１３・・蓋
１４・・ペットボトル用容器
１５・・本体
１６・・開口部
１７・・凸部
１８・・凹部
１９、２０・・折込
２１・・フラワーベース
２２・・ケース
２３・・ペットボトル
２４・・口部
２５・・開口部
２６・・花
【図１】
0003189452.tif 000003
【図２】
0003189452.tif 000004
【図３】
0003189452.tif 000005
【図５】
0003189452.tif 000006
【図６】
0003189452.tif 000007
【図７】
0003189452.tif 000008
【図４】
0003189452.tif 000009